(57)【要約】【解決手段】透析装置１には供給液室３５ａ，３５ｂに浄水を供給する給水通路１５と、回収液室３４ａ，３４ｂから使用済透析液を排出するための廃液通路１７が設けられ、上記給水通路には原液供給源１９より透析液の原液を供給する原液ポンプ２１が設けられている。上記原液ポンプはシリンダ４１内でピストン４２を往復動させて送液するピストンポンプ４０であって、このピストンポンプを給水通路と廃液通路との間に設けた洗浄通路２６の途中に設けるとともに、洗浄通路には間欠的に開閉する開閉弁２７を設けて、給水通路の浄水をシリンダとピストンとの間隙に流通させるようになっている。【効果】上記発明によれば、ピストンとシリンダとの間隙に給水通路からの浄水を流通させることで、ピストンポンプの摺動性の悪化を防止するとともに、開閉弁を間欠的に開放することで浄水がピストンとシリンダとの間隙から漏れ出るのを防止できる。【選択図】    図１
2005021245.tif 000002
【特許請求の範囲】
【請求項１】
透析器に供給通路を介して新たな透析液を供給する供給液室と、透析器から回収通路を介して使用済透析液を回収する回収液室と、上記供給液室に浄水を供給する給水通路と、上記回収液室から使用済透析液を排出する廃液通路と、シリンダ内でピストンを往復動させて送液するピストンポンプとを備えた透析装置において、
上記給水通路と廃液通路とを連通して上記浄水を流通させる洗浄通路と、該洗浄通路を開閉する開閉弁とを設けるとともに、上記ピストンポンプは、原液供給源から透析液の原液を吸入するとともに吸入した原液を上記供給液室に供給する原液ポンプと、上記回収通路から使用済透析液を吸入するとともに吸入した使用済透析液を上記廃液通路に排出する除水ポンプの少なくともいずれか一方であって、
該ピストンポンプのシリンダに、シリンダ内面とピストン外面の間隙に液体を流入させる流入口と、該間隙から液体を流出させる流出口とを形成するとともに、当該流入口と流出口とを上記洗浄通路の途中に接続し、
透析動作中に上記開閉弁を間欠的に開放することで、給水通路の浄水をシリンダ内面とピストン外面の間隙に流通させることを特徴とする透析装置。
【請求項２】
上記洗浄通路は複数のピストンポンプを直列に連通させていることを特徴とする請求項１に記載の透析装置。
【請求項３】
上記供給液室及び回収液室はそれぞれ２組設けられて、これら２組の供給液室及び回収液室は、一方の組の供給液室に浄水と原液とを供給して新たな透析液を作成する際に当該組の回収液室から使用済透析液を排出させるようになっており、またこの間に、他方の組の供給液室から透析器に新たな透析液を供給するとともに該透析器からの使用済透析液を当該組の回収液室に回収するようになっており、
上記一方の組の供給液室で新たな透析液が作成された後、当該組の供給液室から透析器に新たな透析液の供給を開始するまでの間に、上記開閉弁を開放することを特徴とする請求項１又は請求項２のいずれかに記載の透析装置。
【発明の詳細な説明】
【０００１】
【発明の属する技術分野】
本発明は人工透析を行う透析装置に関し、詳しくはピストンポンプを備えた透析装置に関する。
【０００２】
【従来の技術】
従来より、人工透析装置には透析液を送液する除水ポンプとして、シリンダ内でピストンを往復動させて送液するピストンポンプが使用されている。（特許文献１）
透析液をピストンポンプで送液した場合、透析液から生じる析出物によりシリンダとピストンの固着を誘発することが知られている。これに関して特許文献１には、個人用透析装置であれば透析液原液と水とを混合して透析液を調製するために、透析液原液を希釈するための水の供給ラインが設けられているので、個人用透析装置の除水ポンプに洗浄ポートを設けてこのポートに水の供給ラインを接続し、流入側のポートから水を流入させて流出側のポートから排出することで、透析中であってもシリンダとピストンを固着させる析出物を洗浄できることが開示されている。
【０００３】
【特許文献１】
特許登録第３３９５８７２号公報
【０００４】
【発明が解決しようとする課題】
しかしながら、特許文献１に開示されるように、単にピストンポンプの洗浄ポートに水の供給ラインを接続して水を流入させるようにした場合には、水の供給源から供給ラインヘの給水圧が、常時ピストンポンプのシリンダとピストンの間に作用することになり、流入した水がシリンダ内の透析液を吸入する計量室や外部に漏れ出すという問題があった。
さらには、このようなピストンポンプを透析液の原液を定量送液する原液ポンプに用いた場合には、計量室に漏れ出る水により送液する原液が希釈されてしまうおそれがあった。
以上の問題に鑑み、本発明は上記ピストンポンプのピストンとシリンダとの摺動部分の摺動性の悪化を防止するとともに、給水圧によって摺動部より水の漏れ出ることのない透析装置を提供するものである。
【０００５】
【課題を解決するための手段】
即ち、本発明による透析装置は、透析器に供給通路を介して新たな透析液を供給する供給液室と、透析器から回収通路を介して使用済透析液を回収する回収液室と、上記供給液室に浄水を供給する給水通路と、上記回収液室から使用済透析液を排出する廃液通路と、シリンダ内でピストンを往復動させて送液するピストンポンプとを備えた透析装置において、
上記給水通路と廃液通路とを連通して上記浄水を流通させる洗浄通路と、該洗浄通路を開閉する開閉弁とを設けるとともに、上記ピストンポンプは、原液供給源から透析液の原液を吸入するとともに吸入した原液を上記供給液室に供給する原液ポンプと、上記回収通路から使用済透析液を吸入するとともに吸入した使用済透析液を上記廃液通路に排出する除水ポンプの少なくともいずれか一方であって、
該ピストンポンプのシリンダに、シリンダ内面とピストン外面の間隙に液体を流入させる流入口と、該間隙から液体を流出させる流出口とを形成するとともに、当該流入口と流出口とを上記洗浄通路の途中に接続し、
透析動作中に上記開閉弁を間欠的に開放することで、給水通路の浄水をシリンダ内面とピストン外面の間隙に流通させることを特徴としている。
【０００６】
上記発明によれば、ピストンとシリンダとの間隙に給水通路からの浄水を流通させることで、ピストンポンプが除水ポンプである場合にはピストンとシリンダとの間隙に流入した使用済透析液を洗浄し、またピストンポンプが原液ポンプである場合にはピストンとシリンダとの間隙に流入した透析液の原液が乾燥してしまうのを防止してピストンとシリンダとの摺動性が悪化するのを防止できる。
さらに、開閉弁を間欠的に開放するので、流入口から流入した浄水の給水圧はシリンダとピストンとの間に間欠的にしか作用しなくなるので、浄水がピストンポンプの計量室に漏れ出してしまうのを防止して透析液や原液の送液量の精度を高く保つことが出来、また浄水が外部に漏れ出てしまうことも防止することができる。
【０００７】
【発明の実施の形態】
以下図示実施例について説明すると、図１は本実施例における透析装置１の回路図を示し、この透析装置１は透析器２と、透析器２に接続されて透析液を流通させる透析液回路３と血液を流通させる血液回路５とを有し、この透析装置１は図示しない制御手段によって制御されるようになっている。
透析器２の内部には束ねられた多数の中空糸４が設けられ、この中空糸４の内側を血液が流れるようになっている。図１では模式的に透析器２内に１本の中空糸４を示し、この中空糸４の内側を血液室２Ａ、外側を透析液室２Ｂとしている。
そして血液室２Ａには、人体に接続されて血液室２に血液を送る血液通路５ａと、人体に血液を返す血液通路５ｂが接続されており、血液は血液室２Ａ内を図示左から右に流れるようになっている。
【０００８】
次に、透析液回路３には透析器２へ供給する新たな透析液の供給量と、透析器２から回収する使用済透析液の回収量とを制御する透析液給排手段１１が設けられている。
この透析液給排手段１１には透析液室２Ｂに新たな透析液を供給させる供給通路１２と、透析液室２Ｂから使用済透析液を排出させる回収通路１３とが接続されており、また透析液給排手段１１には図示しない給水源から供給される浄水を流通させる給水通路１５が接続されている。
そして回収通路１３の使用済透析液は回収通路１３に設けられた回収ポンプ１４によって送液され、給水通路１５の浄水は当該給水通路１５に設けられた給水ポンプ１６によって透析液給排手段１１に送液されるようになっている。
さらに透析液給排手段１１には図示しない廃液タンクに透析液給排手段１１からの使用済透析液を排出する廃液通路１７が接続され、当該廃液通路１７には使用済透析液内の血液を検出する漏血検出手段１８が設けられている。
そして本実施例における透析装置１は上記給水通路１５を流通する浄水に透析液の原液を混合して透析液を作成する個人用透析装置となっており、透析液回路３には透析液の原液である塩化ナトリウム（ＮａＣｌ）および炭酸水素ナトリウム（ＮａＨＣＯ３）を貯留する２つの原液供給源１９が備えられ、これらはそれぞれ原液供給通路２０を介して上記給水通路１５に接続されるとともに、原液供給通路２０にはそれぞれピストンポンプ（図２参照）が原液ポンプ２１として設けられている。
また、本実施例においては、上記漏血検出手段１８及び原液ポンプ２１の洗浄を目的として、上記給水通路１５の給水ポンプ１６の上流側から分岐して、廃液通路１７における漏血検出手段１８近傍の上流位置に接続される洗浄通路２６を設け、この洗浄通路２６には上記原液ポンプ２１の上流側に、制御手段によって開閉される開閉弁２７が備えられている。
【０００９】
上記透析液給排手段１１は同形の第１チャンバ３１Ａと第２チャンバ３１Ｂとを備え、第１チャンバ３１Ａと第２チャンバ３１Ｂにはそれぞれシリコーンオイルポンプ３２Ａ，３２Ｂが設けられている。
第１，第２チャンバ３１Ａ，３１Ｂにはそれぞれ２枚ずつダイアフラム３３が設けられていて、回収液室３４ａ、３４ｂと、供給液室３５ａ，３５ｂに区画されると共に、これらの間には可変容積室３６ａ，３６ｂが区画されている。
そして上記回収通路１３および廃液通路１７はそれぞれ分岐して回収液室３４ａ、３４ｂに第１、第２三方弁３７Ａ，３７Ｂを介して接続され、一方供給通路１２および給水通路１５もそれぞれ分岐して供給液室３５ａ，３５ｂに第１〜第４電磁弁３８Ａ〜３８Ｄを介して接続されている。
また、各可変容積室３６ａ，３６ｂ内にはシリコーンオイルが封入され、このシリコーンオイルの量を上記シリコーンオイルポンプ３２Ａ，３２Ｂによって増減させることで、可変容積室３６ａ、３６ｂの容積を変化させることが可能となっている。
【００１０】
次に上記原液ポンプ２１に用いられるピストンポンプ４０ついて説明すると、図２に示すようにピストンポンプ４０はシリンダ４１と、当該シリンダ４１内を回転しながら往復動するピストン４２と、当該ピストン４２を駆動させるモータ４３とを備え、ピストン４２とモータ４３は継手機構４４により連結されている。
当該継手機構４４はモータ４３の回転軸に固定された円筒部材４４ａと、円筒部材４４ａの内壁に設けた球面軸受４４ｂとから構成され、ピストン４２はシリンダ４１より突出した端部に設けられたピン４２ｂを球面軸受４４ｂの球体部材に貫通させることで連結されている。
上記シリンダ４１の先端側には、原液供給通路２０を介して原液供給源１９に連通させた吸入ポート４１Ａと、原液供給通路２０を介して給水通路１５に連通させた排出ポート４１Ｂとが設けられている。
また上記ピストン４２の先端部分には切欠き４２ａが設けられ、ピストン４２が上死点に達する直前までは、吸入ポート４１Ａが切欠き４２ａによってシリンダ４１内に形成される計量室４１Ｅと連通し、逆にピストン４２が下死点に達する直前までは、排出ポート４１Ｂが計量室４１Ｅと連通するようになっている。従って、ピストン４２が上死点に到達するまでは吸入ポート４１Ａから原液が吸入され、その後ピストン４２が下死点に到達するまでは、吸入された原液が排出ポート４１Ｂから排出されるようになっている。
これにより、モータ４３の回転数を設定することで、必要量の送液を正確に行うことが出来る。なお、図２では説明上継手機構４４の部分ではピストン４２が下死点にある場合を示し、ピストン４２の先端側では、下死点と上死点の間の状態を示している。
また上記シリンダ４１のモータ４３側にはピストン４２を囲繞するシール部材４５と、当該シール部材４５をシリンダ４１に固定するキャップ部材４６とが設けられている。
【００１１】
さらに、本実施例においては原液ポンプ２１に用いたピストンポンプ４０のシリンダ４１の内面とピストン４２の外面との間隙に上記洗浄通路２６を流通する浄水を流入させ、また当該浄水を流出させるように構成している。
すなわち、上記シリンダ４１の内周面にピストン４２を囲繞する溝４１ａが形成され、この溝４１ａに連通させて流入口としての流入ポート４１Ｃと流出口としての流出ポート４１Ｄとが形成されている。そして洗浄通路２６の途中に、流入ポート４１Ｃを上流側に、流出ポート４１Ｄを下流側として接続し、ピストンポンプ４０を配置している。
従って、上記開閉弁２７を開くことにより、給水通路１５からの浄水が流入ポート４１Ｃ、溝４１ａ、流出ポート４１Ｄの順に経由して廃液通路１７へと流通され、さらにピストン４２が回転しながら往復動することで、溝４２ａを介してシリンダ４１の内面とピストン４２の外面の間隙に、浄水が流入され、またこの間隙から流出される。
なお、本実施例では図１のように原液ポンプ２１は２台設けられ、洗浄通路２６の上流となる原液ポンプ２１の流出ポート４１Ｄと下流側となる原液ポンプ２１の流入ポート４１Ｃとを洗浄通路２６で連通させることで、２台のピストンポンプ４０が直列に接続されている。
【００１２】
次に、廃液通路１７に設けられた漏血検出手段１８は、図３に示すような全体で円筒形をしたハウジング５１の周面に上記廃液通路１７に接続される廃液吸入ポート５１Ａ、廃液排出ポート５１Ｂが形成され、使用済透析液は図示右方側の廃液吸入ポート５１Ａより流入し、左方側の廃液排出ポート５１Ｂより排出されるようになっている。
そしてハウジング５１内には上記廃液吸入ポート５１Ａと廃液排出ポート５１Ｂとを連通させる流路５１Ｃが形成され、この流路５１Ｃの一端に発光素子５２が、他端には受光素子５３が備えられている。
上記受光素子５３は上記制御手段に受光信号を送信するよう接続されるとともに、上記発光素子５２及び受光素子５３はそれぞれガラス若しくは樹脂製の透明板５４によって流路５１Ｃから隔離され、使用済透析液に直接触れないようにされている。
そして、上記流路５１Ｃ内を使用済透析液が流通する間に、上記発光素子５２が光を照射すると、この使用済透析液を透過した光が受光素子５３により受光され、この受光信号が制御手段に送信される。
このとき、使用済透析液に血液が混入すると、光の透過度が変化して受光素子５３に受光される受光量が減少するので、制御手段はこの受光量の減少から使用済透析液に血液が混入したものと判断する。
【００１３】
以上のような構成を有する透析装置１の透析動作について説明する。
まず透析液給排手段１１において、例えば第１三方弁３７Ａにより回収通路１３と第１チャンバ３１Ａの回収液室３４ａとを連通させ、第２三方弁３７Ｂにより第２チャンバ３１Ｂの回収液室３４ｂと廃液通路１７とを連通させた状態とするとともに、第１電磁弁３８Ａおよび第４電磁弁３８Ｄを閉鎖し、第２開閉弁３８Ｂを開放して第１チャンバ３１Ａの供給液室３５ａと供給通路１２とを連通させ、第３開閉弁３８Ｃを開放して給水通路１５と第２チャンバ３１Ｂの供給液室３５ｂとを連通させた状態とする。
この状態では、上記給水ポンプ１６および原液ポンプ２１の作動によって浄水及び各原液が給水通路１５を介して供給液室３５ｂに流入し、供給液室３５ｂ内で新たな透析液が作成される。
そして浄水及び各原液が供給液室３５ｂ内に流入することで、ダイアフラム３３が図示左方端まで移動し（図１の状態）、これに伴って回収液室３４ｂからは収容されている使用済透析液が排出され、この透析液は廃液通路１７を介して廃液口より廃液される。
【００１４】
一方、回収ポンプ１４の作動によって、透析器２の透析液室２Ｂから使用済透析液が回収通路１３を介して回収液室３４ａに流入すると、ダイアフラム３３が図示右方端まで移動し（図１の状態）、これに伴って供給液室３５ａからは収容されている新たな透析液が排出され、この透析液は供給通路１２を介して透析液室２Ｂに供給される。
このとき、使用済透析液が回収されている第１チャンバ３１Ａのシリコーンオイルポンプ３２Ａを作動させて、可変容積室３６ａの容積を所定量減少させることで、回収液室３４ａの容積を増加し、その増加量に応じた除水が行われる。
そして図１の状態となったら、制御手段は第１，第２三方弁３７Ａ、３７Ｂおよび第１〜第４電磁弁３８Ａ〜３８Ｄを制御して、今度は回収液室３４ａと廃液通路１７、供給液室３５ａと給水通路１５、回収液室３４ｂと回収通路１３、供給液室３５ｂと供給通路１２をそれぞれ連通させて第１チャンバ３１Ａと第２チャンバ３２Ｂの接続状態を切り換え、連続的に透析器２に新たな透析液を供給するとともに、使用済透析液を回収するよう動作される。
【００１５】
そして上述したような透析動作中には、原液ポンプ２１において以下のような問題が生じる。
すなわち、原液ポンプ２１（ピストンポンプ４０）ではピストン４２の往復動によって原液の定量送液を行うが、この際原液がシリンダ４１の内面とピストン４２の外面の摺動部分の間隙に微量ながら流入する。
こうして流入した原液はシリンダ４１とピストン４２の間隙で乾燥すると結晶化してしまい、シリンダ４１とピストン４２の摺動性が悪化してしまう。
そこで、本実施例では洗浄通路２６を介してシリンダ４１とピストン４２の摺動部分に給水通路１５からの浄水を流入させ、原液の乾燥を防止して原液の結晶化を防止している。
【００１６】
またこの開閉弁２７の開閉される時期について説明すると、本実施例では上記給水ポンプ１６による浄水の供給液室３５ａ、３５ｂへの送液流量が上記回収ポンプ１４による回収液室３４ａ、３４ｂへの使用済透析液の送液流量よりも多くなるよう設定している。
これにより、給水通路１５の接続された一方の組のチャンバの供給液室に所定量の透析液が作成されてから所定時間後に、回収通路１３の接続された他方の組のチャンバの回収液室に所定量の使用済透析液が回収される。
その後、上記電磁弁３８Ａ〜３８Ｄにより接続状態が切り換えられ、上記一方の組の供給液室と供給通路１２とが連通して透析器２に新たな透析液が供給されるようになる。
そして本実施例ではこの間、すなわち上記給水通路１５の接続された一方の組の供給液室で新たな透析液を作成した後、当該一方の組の供給液室の接続が供給通路に切り換えられて、透析器２に新たな透析液の供給が開始されるまでの間に、上記開閉弁２７が開放されるようになっている。
従って、この開閉弁２７は透析動作中において、間欠的に、また定期的に開放されることとなる。
【００１７】
本実施例のような個人用透析装置のように浄水と原液を供給液室３５ａ、３５ｂに供給して新たな透析液を作成する場合には、これらを単に定量ずつ供給するばかりでなく、浄水を一定の流量で流入させて供給液室３５ａ、３５ｂ内で均一に撹拌する必要性がある。
このような透析液の作成中に開閉弁２７を開放すると、浄水が給水通路１５より洗浄通路２６へと分岐してしまうので、給水通路１５での浄水の供給流量が減少し、供給液室３５ａ、３５ｂ内での撹拌作用が低下してしまう。
このため本実施例では上記した間隔で開閉弁２７を開放することにより、供給液室での透析液の作成を阻害することなく、洗浄通路２６に浄水を供給することができる。また、透析液の作成中、つまり、原液ポンプ２１の動作中にシリンダ４１内面とピストン４２外面の間隙に給水源からの給水圧力が連続して作用しないので、流入した浄水がシリンダ４１内の計量室４１Ｅに漏れ出して原液を希釈させることもない。
なお、開閉弁２７を閉鎖した状態では、洗浄通路２６およびシリンダ４１内の溝４１ａから浄水は排出されずに貯留された状態となるので、透析動作中におけるピストンポンプ４０の動作においては、ピストン４２を囲繞して形成されている溝４１ａの部分をピストン４２が回転しながら往復動して、貯留されている浄水がピストン４２の外面に付着されるので、シリンダ４１とピストン４２の摺動部分は乾燥されることがない。
【００１８】
次に、漏血検出手段１８では使用済透析液に含まれるたんぱく質等の成分が漏血検出手段１８の透明板５４に付着して経時的に堆積し、流路５１Ｃへの発光素子５２の発光量および受光素子５３での受光量が低下され、検出精度が低下するという問題があった。
これに対し、本実施例では、上記洗浄通路２６を漏血検出手段１８に近づけた上流位置に接続して、透析動作中に定期的に浄水を流して透明板５４を洗浄するので、たんぱく質が堆積することを防止できる。
【００１９】
次に本発明に係る第２の実施例について説明する。図４は本実施例における透析装置１０１の回路図を示しており、前記第１の実施例と同一の要素については同一の符号を用いて示し、その詳細な説明は省略する。
この透析装置１０１も前記第１実施例の透析装置１と同様に、個人用透析装置であって、透析器２と、透析器２に接続されて透析液を流通させる透析液回路３と血液を流通させる血液回路５とを有し、図示しない制御手段によって制御されるようになっている。
そして、本実施例の透析装置１０１では透析液回路３における透析液給排手段１１１の構成が、第１実施例における透析液給排手段１１と異なっており、主にその相違点に関して以下に説明する。
透析液給排手段１１１は同形の第１チャンバ１３１Ａと第２チャンバ１３１Ｂを有しており、第１，第２チャンバ１３１Ａ，１３１Ｂにはそれぞれ１枚ずつダイアフラム１３３が設けられていて、回収液室１３４ａ、１３４ｂと、供給液室１３５ａ，１３５ｂが区画されている。
また回収通路１３および廃液通路１７はそれぞれ分岐して回収液室１３４ａ、１３４ｂに第１〜第４電磁弁１３７Ａ〜１３７Ｄを介して接続され、一方供給通路１２および給水通路１５もそれぞれ分岐して供給液室１３５ａ，１３５ｂに第５〜第８電磁弁１３８Ａ〜１３８Ｄを介して接続されている。
【００２０】
そして、本実施例では、回収通路１３の回収ポンプ１４よりも下流側であって、第１電磁弁１３７Ａと第３電磁弁１３７Ｃへの分岐点の上流側に除水通路１２６の一端を接続し、さらに他端を排液通路１７の第２電磁弁１３７Ｂと第４電磁弁１３７Ｄからの合流点よりも下流側に接続しており、この除水通路１２６の途中に除水ポンプ１２１を設けて、回収通路１３から廃液通路１７へと使用済透析液を送液できるようにしている。
この除水ポンプ１２１には原液ポンプ２１と同様、図２で示すピストンポンプ４０を用いており、吸入ポート４１Ａに除水通路１２６の回収通路１３側を、排出ポート４１Ｂに廃液通路１７側をそれぞれ接続している。
さらに本実施例では、この除水ポンプ１２１を洗浄通路２６の途中であって、２台の原液ポンプ２１、２１よりも洗浄通路２６における下流側に接続しており、除水ポンプ１２１の流入口としての流入ポート４１Ｃと下流側の原液ポンプ２１の流出ポート４１Ｄを連通させ、流出口としての流出ポート４１Ｄを漏血検出手段１８の上流側となる廃液通路１７に連通させている。
これによって、開閉弁２７を開放することで下流側の原液ポンプ２１の流出ポート４１Ｄから排出された浄水が、除水ポンプ１２１の流入ポート４１Ｃ、シリンダ４１内部の溝４１ａ、流出ポート４１Ｄの順に経由して廃液通路１７へ排出されるようになっている。
【００２１】
以上のように構成される第２の実施例にかかる透析装置１０１は、回収通路１３および廃液通路１７に対する回収液室１３４ａ、１３４ｂの接続の切り換えに、第１〜第４電磁弁１３７Ａ〜１３７Ｂを用いていること、および、除水操作を除水ポンプ１２１で行っていることで、前記第１実施例の透析装置１とは相違しているが、基本的な透析動作は共通しているのでその詳細な説明は省略する。
なお、除水ポンプ１２１により除水操作を行う場合には、回収液室３４ａ、３４ｂの何れかが使用済透析液を回収している間に、除水ポンプ１２１としているピストンポンプ４０のモータ４３を所定量回転させて、回収通路１３を流通している使用済透析液を、所定量だけ回収液室３４ａ、３４ｂを介さずに廃液通路１７へ排出して行う。
【００２２】
そして透析装置１０１のように除水ポンプ１２１としてピストンポンプ４０を用いた場合には次のような問題が生じる。
すなわち、透析動作中に除水ポンプ１２１で使用済透析液を送液した場合には、原液ポンプ２１で原液の送液を行った場合と同様に送液している使用済透析液が、シリンダ４１の内面とピストン４２の外面の摺動部分の間隙に微量ながら流入する。
この流入した使用済透析液からは摺動による摩擦により炭酸カルシウムが析出され、シリンダ４１とピストン４２の摺動性を悪化させ、さらには両者を固着してしまうおそれがある。
そこで、本実施例では原液ポンプ２１ばかりではなく、これと同様に除水ポンプ１２１のピストンポンプ４０についても、前述した第１実施例による場合と同様のタイミングで開閉弁２７を開放させて、シリンダ４１内面とピストン４２外面の間隙に流入ポート４１Ｃから浄水を流入させ、さらに、この浄水を流出ポート４１Ｄから排出させて析出される炭酸カルシウムを洗浄するようにしている。したがって析出された炭酸カルシウムが堆積されることはなくシリンダ４１とピストン４２の摺動性が悪化することが防止される。
なお、開閉弁２７を閉鎖した状態では、洗浄通路２６およびシリンダ４１内の溝４１ａから浄水は排出されずに貯留された状態となり、透析動作中におけるピストンポンプ４０の動作においては、ピストン４２を囲繞して形成されている溝４１ａの部分をピストン４２が回転しながら往復動して、析出された炭酸カルシウムが溝４１ａに掻き出される。
次に開閉弁２７が開放された際には、流入ポート４１Ｃから流入する浄水が、シリンダ４１内面とピストン４２外面の間隙に流入して洗い流すとともに、溝４１ａに貯留されている浄水を流出ポート４１Ｄから流出させるので、シリンダ４１とピストン４２の摺動部分に炭酸カルシウムが堆積することが防止される。
【００２３】
なお、上記第２実施例においては除水ポンプ１２１を洗浄通路２６における原液ポンプ２１の下流側に接続するよう配置したが、上流側であっても良く、また、除水ポンプ１２１と原液ポンプ２１について、それぞれ別個の洗浄通路２６に接続させるようにしても良いし、何れかだけを洗浄通路２６に接続させるようにしても良い。
【００２４】
【発明の効果】
上記発明によれば、ピストンポンプにおけるピストンとシリンダとの間隙に給水通路からの浄水を流通させることで、ピストンとシリンダとの摺動性が悪化するのが防止され、さらに開閉弁を間欠的に開放することで浄水がピストンとシリンダとの間隙から漏れ出てしまうのを防止することができる。
【図面の簡単な説明】
【図１】本発明の第１の実施例に係る透析装置の回路図。
【図２】ピストンポンプについての断面図。
【図３】漏血検出手段についての断面図。
【図４】本発明の第２の実施例に係る透析装置の回路図。
【符号の説明】
１  透析装置                  ２  透析器
１２  供給通路                １３  回収通路
１５  給水通路                １７  廃液通路
１９  原液供給源              ２１  原液ポンプ
２６  洗浄通路                ２７  開閉弁
３４ａ，３４ｂ  回収液室      ３５ａ，３５ｂ  供給液室
４０  ピストンポンプ          ４１  シリンダ
４１Ｃ  流入ポート            ４１Ｄ  流出ポート
４２  ピストン                １２１  除水ポンプ
【図１】
2005021245.tif 000003
【図２】
2005021245.tif 000004
【図３】
2005021245.tif 000005
【図４】
2005021245.tif 000006